(57)【要約】【課題】    二種類の研磨しようとする調味料を同時に収容できて、片手で調味料の研磨作業をすることができる研磨器を提供すること。【解決手段】    二つの瓶体を組合って一体な造形になり、瓶体の間には仕切体が設けてあり、瓶体内には研磨装置と伝動装置とが取付けてあり、二つの瓶体の外側には横方向押圧体が設けてあり、前記横方向押圧体と伝動装置と研磨装置とが互いに連動し、使用者は片手で横方向押圧体を押圧する場合には、横方向押圧体が伝動装置を連動して研磨装置を駆動し、研磨装置により瓶体の下に充填された調味料が研磨される。【選択図】    図１
2006288422.tif 000002
【特許請求の範囲】
【請求項１】
二つの瓶体と、二つの研磨装置と、二つの伝動装置と、一つの仕切体と、二つの横方向押圧体とから構成される両用式調味料研磨器において、
前記瓶体は、その一端には伝動装置が取付けてあり、他端には研磨装置が取付けてあり、且つ前記伝動装置と研磨装置の間には研磨しようとする調味料を収容するための収容空間が設けてあり、
前記研磨装置は、一端が前記伝動装置に接続し、他端が前記瓶体内に定位され調味料を研磨するためのものであり、
前記伝動装置は、つめ車と、仕切素子と、駆動輪と、移動素子とから構成されたものであり、前記つめ車は、一端が前記研磨装置に接続し、他端が仕切素子の一側に枢着し、前記仕切素子は、一側が前記瓶体の一端に固定され、他側が仕切体に固定され、且つ前記仕切体には、つめ車と噛合する駆動輪を挿通するための通路が設けてあり、前記駆動輪の一端が仕切素子の他側に枢着し、前記移動素子には、前記駆動輪と噛合する歯段が設けてあり、仕切体内に挿入するための圧制段が設けてあり、且つ前記移動素子の一端が前記瓶体を挿通し突出して横方向押圧体に当接し、
前記仕切体は、仕切素子に取付けられ駆動輪の他端に枢着するためのものであり、その中には弾性素子を収容するための横方向収容段が設けてあり、且つ前記横方向収容段の外側には長形溝が設けてあり、移動素子の圧制段が前記長形溝に嵌められて弾性素子の一端に当接し、
前記横方向押圧体は、二つの前記瓶体の外側に設けられることを特徴とする、
両用式調味料研磨器。
【請求項２】
前記瓶体の収容空間に面する壁面には、研磨しようとする調味料を入れるための開口を設け、前記開口には蓋体を設けたことを特徴とする、請求項１に記載の両用式調味料研磨器。
【請求項３】
前記瓶体の外側には横方向押圧体の移動をある範囲内に制限するための制限段が設けてあり、前記制限段の外端には横方向押圧体の脱離を防止するための止め素子が設けてあることを特徴とする、請求項１に記載の両用式調味料研磨器。
【請求項４】
前記移動素子には重力によって落下できる自在ブロックが設けてあり、且つ仕切体に対応する方向には落下した自在ブロックを止めるための止め部が設けてあることを特徴とする、請求項１に記載の両用式調味料研磨器。
【発明の詳細な説明】
【技術分野】
【０００１】
本発明は、両用式調味料研磨器に係り、特に、二つの瓶体を組み合せて一体な造形（構造）とし、瓶体の間には仕切体が設けてあり、瓶体内には研磨装置と伝動装置とが取付けてあり、二つの瓶体の外側には横方向押圧体が設けてあり、前記横方向押圧体と伝動装置と研磨装置とが互いに連動し、使用者は片手で横方向押圧体を押圧する場合には、横方向押圧体が伝動装置を連動して研磨装置を駆動し、研磨装置により瓶体の下に充填された調味料が研磨され、また、瓶体の上に充填された調味料を使用しようとする場合には、研磨器を反転して横方向押圧体を継続に押圧すると、瓶体の上に充填された調味料が研磨され、調味料の使用が便利になる、両用式調味料研磨器に関するものである。
【背景技術】
【０００２】
目下、広汎に使用されている調味料研磨器の基本構造は、上下胴体の内部に研磨しようとする調味料が充填され、下胴体の下端まで延びるシャフトが上胴体内に設けられ、前記シャフトの下端には円錐状歯金が設けてあり、下胴体の円錐状歯金に対応する箇所では円錐状歯金から離間した環状歯構造が設けてあり、前記シャフトを回転することによって円錐状歯金が環状歯構造に対して回転され、そうすると、二つの歯部の間の調味料はより細かく研磨（粉砕）して落下することができる。
【発明の開示】
【発明が解決しようとする課題】
【０００３】
しかしながら、従来の調味料研磨器には次のような欠点があった。
（１）従来の調味料研磨器の操作方法は、一つの手で下胴体を握って、他の手で上胴体を握ると同時に上胴体を回転させる必要があり、上胴体を回転させる過程中には、下胴体を握る手が圧力を受けるので、抵抗力が極めて大きく、そのために研磨の速度が速くなった。
【０００４】
（２）従来の調味料研磨器の構造は、研磨しようとする調味料を収容する空間が一つだけあり、一種類の調味料だけを収容できる。多種類の研磨しようとする調味料が必要である場合には複数の研磨器を購入することが必要であり、研磨器の占めるスペースが広かった。
【課題を解決するための手段】
【０００５】
上記欠点を解決するためになされた本願の発明は、二つの瓶体と、二つの研磨装置と、二つの伝動装置と、一つの仕切体と、二つの横方向押圧体とから構成される両用式調味料研磨器において、
【０００６】
前記瓶体は、その一端には伝動装置が取付けてあり、他端には研磨装置が取付けてあり、且つ前記伝動装置と研磨装置の間には研磨しようとする調味料を収容するための収容空間が設けてあり、
【０００７】
前記研磨装置は、一端が前記伝動装置に接続し、他端が前記瓶体内に定位され調味料を研磨するためのものであり、
【０００８】
前記伝動装置は、つめ車と、仕切素子と、駆動輪と、移動素子とから構成されたものであり、前記つめ車は、一端が前記研磨装置に接続し、他端が仕切素子の一側に枢着し、前記仕切素子は、一側が前記瓶体の一端に固定され、他側が仕切体に固定され、且つ前記仕切体には、つめ車と噛合する駆動輪を挿通するための通路が設けてあり、前記駆動輪の一端が仕切素子の他側に枢着し、前記移動素子には、前記駆動輪と噛合する歯段が設けてあり、仕切体内に挿入するための圧制段が設けてあり、且つ前記移動素子の一端が前記瓶体を挿通し突出して横方向押圧体に当接し、
【０００９】
前記仕切体は、仕切素子に取付けられ駆動輪の他端に枢着するためのものであり、その中には弾性素子を収容するための横方向収容段が設けてあり、且つ前記横方向収容段の外側には長形溝が設けてあり、移動素子の圧制段が前記長形溝に嵌められて弾性素子の一端に当接し、
【００１０】
前記横方向押圧体は、二つの前記瓶体の外側に設けられることを特徴とする両用式調味料研磨器であることを要旨としている。
【００１１】
本願の発明では、前記瓶体の収容空間に面する壁面には、研磨しようとする調味料を入れるための開口を設けてもよく、前記開口には蓋体を設けてもいいことを特徴とする請求項１に記載の両用式調味料研磨器であることを要旨としている。
【００１２】
本願の発明では、前記瓶体の外側には横方向押圧体の移動をある範囲内に制限するための制限段が設けてあり、前記制限段の外端には横方向押圧体の脱離を防止するための止め素子が設けてあることを特徴とする請求項１に記載の両用式調味料研磨器であることを要旨としている。
【００１３】
本願の発明では、前記移動素子には重力によって落下できる自在ブロックが設けてあり、且つ仕切体に対応する方向には落下した自在ブロックを止めるための止め部が設けてあることを特徴とする請求項１に記載の両用式調味料研磨器であることを要旨としている。
【発明の効果】
【００１４】
本発明に係る両用式調味料研磨器によれば、二つの瓶体を組み合せて一体な造形（構造）にし、瓶体の間には仕切体が設けてあり、瓶体内には研磨装置と伝動装置とが取付けてあり、二つの瓶体の外側には横方向押圧体が設けてあり、前記横方向押圧体と伝動装置と研磨装置とが互いに連動し、使用者は片手で横方向押圧体を押圧する場合には、横方向押圧体が伝動装置を連動して研磨装置を駆動し、研磨装置により瓶体の下に充填された調味料が研磨され、なお、瓶体の上に充填された調味料を使用しようとする場合には、研磨器を反転して横方向押圧体を継続に押圧すると、瓶体の上に充填された調味料が研磨され、調味料の使用が便利になる。
【発明を実施するための最良の形態】
【００１５】
以下、添付図面を参照して本発明の好適な実施の形態を詳細に説明する。
【００１６】
まず、図１と図２を参照して説明する。本発明に係る両用式調味料研磨器（以下、「研磨器」を称す）は、二つの瓶体１と、二つの研磨装置２と、二つの伝動装置３と、一つの仕切体４と、二つの横方向押圧体５とから構成される。
【００１７】
前記瓶体１は、一端に第一凹部１１が形成され、伝動装置３が第一凹部１１内に設置され、第一凹部１１の外側には欠け口１１１が開設してあり、瓶体１の他端に第二凹部１２が形成され、研磨装置２が第二凹部１２内に設置され、且つ第一凹部１１と第二凹部１２の間には研磨しようとする調味料を収容するための収容空間１３が設けてあり、図１と図６に示すように、瓶体１の外側に開口１１２が開設してあり、開口１１２が蓋体１１３に閉鎖され、図３に示すように、第一凹部１１の収容空間１３に向く箇所では通路１４が設けてあり、なお、第二凹部１２の収容空間１３に向く箇所では研磨装置２を固定するための定位枠１５が設けてあり、また、瓶体１の第二凹部１２外側に位置する箇所では制限段１６が一体に設けられ、制限段１６の一端には止め素子１６２を嵌合し設置するための凹部１６１が設けてあり、止め素子１６２のヘッド部は制限段１６よりも大きい。
【００１８】
前記研磨装置２は、回転軸２１と、内研磨輪２２と、外研磨輪２３とから構成されるものであり、回転軸２１は、一端は多辺形段で伝動装置３に嵌めて設けてあり、他端が内研磨輪２２に接続し、内研磨輪２２が外研磨輪２３の内部に収容され、内研磨輪２２の外面と、外研磨輪２３の内面とにより調味料が研磨され、外研磨輪２３が瓶体１の定位枠１５に固定される。
【００１９】
前記伝動装置３は、つめ車３１と、仕切素子３２と、駆動輪３３と、移動素子３４とから構成されたものであり、前記つめ車３１は、駆動輪３３と噛合し、一端が前記回転軸２１に嵌めて接続し、他端が仕切素子３２の一側に枢着し、前記仕切素子３２は、一側に第一仕切ピン３２１が設けてあり、第一仕切ピン３２１が第一凹部１１の収容空間１３に向く箇所で設けられ、且つ仕切素子３２には通路３２２が設けてあり、なお、仕切素子３２の他側には仕切体４を定位するための第二仕切ピン３２３が設けてあり、前記駆動輪３３の一端が仕切素子３２の通路３２２を挿通してつめ車３１と噛合し、図５に示すように、駆動輪３３の他端が移動素子３４の歯段３４1と噛合し、前記移動素子３４には重力によって落下できる自在ブロック３４２が設けてあり、且つ移動素子３４の自在ブロック３４２に対応する他端が瓶体１の第一凹部１１に位置する溝１１を挿通して横方向押圧体５に接触し、移動素子３４から圧制段３４３が延びてある。
【００２０】
前記仕切体４は、その一側に、仕切素子３２の第二仕切ピン３２３が取付けてあり、且つ駆動輪３３が枢着してあり、なお、仕切体４には弾性素子４２を収容するための横方向収容段４１が設けてあり、横方向収容段４１の外側には長形溝４３と止め部４４が設けてあり、移動素子３４の圧制段３４３が前記長形溝４３に嵌められて弾性素子４２の一端に当接し、前記止め部４４は移動素子３４の自在ブロック３４２を一定範囲内に制限するためのものである。
【００２１】
前記横方向押圧体５は、瓶体１の第一凹部１１にある欠け口１１１を挿通する移動素子３４を制限するための制限部５１が内側に設けてあり、その外側には瓶体１の第二凹部１２に位置する制限段１６を挿通し突出するための貫通孔５２が開設してあり、そうすると、横方向押圧体５が制限段１６内の一定範囲の間に移動することができる。
【００２２】
また、図２と図３を参照して説明する。本発明の組合方法（組立方法）は、まず、瓶体１の第二凹部１２内に研磨装置２を組付けることにより、瓶体１の第二凹部１２にある定位枠１５に研磨装置２の外研磨輪２３を固定し、外研磨輪２３の内部に回転軸２１に結合した内研磨輪２２が設置され、且つ内研磨輪２２が第一凹部１１を挿通して収容空間１３の壁面にある通路１４に向いて回転軸２１の多辺形段の一端に固定し、瓶体１の第一凹部１１内に伝動装置３を組付けることにより、伝動装置３のつめ車３１の一端には回転軸２１にある多辺形段の一端が接続してある。また、つめ車３１を仕切素子３２に枢着し定位し、第一凹部１１の収容空間側の壁面に第一仕切ピン３２１を固定する。そうすると、つめ車３１が第一凹部１１と仕切素子３２の間に位置し、このとき、仕切素子３２にある通路３２２を挿通した駆動輪３３をつめ車３１と噛合する。また、図４に示すように、瓶体１の第一凹部１１にある欠け口１１１に移動素子３４を挿通し、これにより、移動素子３４が駆動輪３３と噛合する。また、仕切素子３２にある第二仕切ピン３３３に仕切体４を固定することにより、駆動輪３３の第二歯段３４２と移動素子３４とを仕切素子３２と仕切体４の間に設置する。また、仕切体４によって第一凹部１１を閉鎖する。このとき、移動素子３４に枢着された自在ブロック３５２が仕切体４の止め部４４に位置し、移動素子３４の自在ブロック３５２が落下した状態で、自在ブロック３５２が止め部４４に制限される。且つ移動素子３４の圧制段３４３は、仕切体４にある長形溝４３から横方向収容段４１内に嵌め込み、横方向収容段４１内の弾性素子４２の一端に当接し、且つ移動素子３４の自在ブロック３４２に対応する他端が瓶体１にある欠け口１１１を挿通する。そして、横方向押圧体５の貫通孔５２が瓶体１にある制限段１６に挿入することにより、横方向押圧体５は制限段１６内の一定範囲に移動することができる。このとき、横方向押圧体５の外側から止め素子１６２を制限段１６にある凹部１６１に嵌めて設けることにより、制限段１６の外径よりも大きい止め素子１６２にあるヘッド部が横方向押圧体５を止めるようになる。横方向押圧体５の内側に位置する制限部５１が瓶体１にある欠け口１１１を挿通した移動素子３４を当接して制限し、最後に、瓶体１の収容空間１３にある開口１１２に蓋体１１３を嵌合する。
【００２３】
また、図３を参照して説明する。本発明により調味料を研磨しようとする場合には、片手で研磨器を握って横方向押圧体５を押圧して、横方向押圧体５が伝動装置３の移動素子３４を移動して駆動輪３３を回転させる。このとき、駆動輪３３がつめ車３１を回転して、つめ車３１が研磨装置２の回転軸２１を回転して、研磨装置２の回転軸２１に駆動される内研磨輪２２の外面が外研磨輪２３の内面に対して回転することになり、これにより、調味料が研磨される。
【００２４】
本発明に係る研磨器を鉛直にした状態で、上方の伝動装置の移動素子３４に枢着された自在ブロック３５２が重力により傾斜に落下して止め部４４に止められるので、二つの横方向押圧体５が同時に押圧されるときに、そのうちの一つの横方向押圧体５が上方の伝動装置３に止められて移動できなく、下方の伝動装置３に接触する横方向押圧体５だけが移動でき研磨装置により調味料を研磨する。上方の瓶体１内の調味料を研磨しようとする場合には、片手で研磨器を反転すると、元の上方の瓶体１内の調味料を研磨することができる。
【００２５】
また、図６を参照して説明する。本発明に係る瓶体１の第一凹部１１に位置する開口１１２では、研磨しようとする調味料を開口１１２から収容空間１３内に充填した後に蓋体１１３を被って閉鎖することができる。
【００２６】
したがって、本発明に係る研磨器によれば、片手で横方向押圧体５を押圧すると、各瓶体１内の伝動装置３と研磨装置２の連動により、下方の調味料を研磨することができ、なお、上方の調味料を研磨しようとする場合には、片手で研磨器を反転すると、元の上方の調味料を研磨することができる。
【図面の簡単な説明】
【００２７】
【図１】本発明の分解斜視図である。
【図２】本発明の一部の分解斜視図である。
【図３】本発明の組合（組立）状態を示す断面図である。
【図４】本発明の一部の組合（組立）状態を示す断面図である。
【図５】本発明の上面断面図である。
【図６】本発明の他の実施例の使用状態を示す概略図である。
【符号の説明】
【００２８】
１・・・・・・瓶体
１１・・・・・第一凹部
１１１・・・・欠け口
１１２・・・・開口
１１３・・・・蓋体
１２・・・・・第二凹部
１３・・・・・収容空間
１４・・・・・通路
１５・・・・・定位枠
１６・・・・・制限段
１６１・・・・凹部
１６２・・・・止め素子
２・・・・・・研磨装置
２１・・・・・回転軸
２２・・・・・内研磨輪
２３・・・・・外研磨輪
３・・・・・・伝動装置
３１・・・・・つめ車
３２・・・・・仕切素子
３２１・・・・第一仕切ピン
３２２・・・・通路
３２３・・・・第二仕切ピン
３３・・・・・駆動輪
３４・・・・・移動素子
３４１・・・・歯段
３４２・・・・自在ブロック
３４３・・・・圧制段
４・・・・・・仕切体
４１・・・・・横方向収容段
４２・・・・・弾性素子
４３・・・・・長形溝
４４・・・・・止め部
５・・・・・・横方向押圧体
５１・・・・・制限部
５２・・・・・貫通孔
【図１】
2006288422.tif 000003
【図２】
2006288422.tif 000004
【図３】
2006288422.tif 000005
【図４】
2006288422.tif 000006
【図５】
2006288422.tif 000007
【図６】
2006288422.tif 000008